(57)【要約】【課題】上着を掛けた状態でも、この上着に干渉することなく容易にズボンをハンガーに掛けることができ、ズボンが上着の内側に隠れることが無く、更に、ハンガーから衣服を外して着るときも、掛けるときと同様にどちらを先に外すにしてもお互いが干渉し難いので非常に衣服の掛け外しが容易な画期的な上着掛け付スラックスハンガーを提供することを目的としている。【解決手段】上着掛け中央部１の左右両側に突出する肩部２を設けた上着掛け部３と、前記上着掛け中央部１に水平方向に突出状態に設けたズボン掛け部４とで構成するハンガーであって、前記ズボン掛け部４は前記上着掛け中央部１に着脱自在に設けた構成とした上着掛け付スラックスハンガー。【選択図】図１
2011019544.tif 000002
【特許請求の範囲】
【請求項１】
上着掛け中央部の左右両側に突出する肩部を設けた上着掛け部と、前記上着掛け中央部に水平方向に突出状態に設けたズボン掛け部とで構成するハンガーであって、前記ズボン掛け部は前記上着掛け中央部に着脱自在に設けた構成としたことを特徴とする上着掛け付スラックスハンガー。
【請求項２】
前記上着掛け中央部の上部並びに前記ズボン掛け部に夫々凹凸状嵌合部を形成し、前記ズボン掛け部の凹凸状嵌合部を前記上着掛け中央部の凹凸状嵌合部に水平方向にスライドさせて嵌合係止し、前記上着掛け部と前記ズボン掛け部を連結する構成としたことを特徴とする請求項１記載の上着掛け付スラックスハンガー。
【請求項３】
前記凹凸状嵌合部同士を嵌合係止して前記上着掛け部と前記ズボン掛け部とを連結した状態をロックする抜け止め係止部を係脱自在に設けたことを特徴とする請求項１，２のいずれか１項に記載の上着掛け付スラックスハンガー。
【請求項４】
前記上着掛け部若しくは前記ズボン掛け部のいずれか一方に前記上着掛け部と前記ズボン掛け部が連結状態であるときに使用する懸吊用固定フック部を設け、他方には連結を切り離し、単体でも使用することができる懸吊用可動フック部を設け若しくは前記懸吊用可動フック部を取付ける懸吊用可動フック取付部を設けたことを特徴とする請求項１〜３のいずれか１項に記載の上着掛け付スラックスハンガー。
【請求項５】
前記懸吊用可動フック部は、前記上着掛け部と前記ズボン掛け部が連結時は退避状態となり、連結を切り離して単体で使用するときは退避状態から懸吊可能な状態となる退避可動可能な構成としたことを特徴とする請求項１〜４のいずれか１項に記載の上着掛け付スラックスハンガー。
【発明の詳細な説明】
【技術分野】
【０００１】
本発明は、スーツなどの上着とズボンの両方を一緒に掛けることができ、上着を掛けた状態でズボンを容易に重合視可能に掛け下げでき、且つ、上着掛け部とズボン掛け部が連結、切り離し自在なハンガーに関するものである。
【背景技術】
【０００２】
従来のスーツなどの上着とズボンの両方を掛けるタイプのハンガーは、ハンガーの中央部より左右に突出した肩部に上着を掛け、この肩部の両先端部に架設したズボン掛け部にズボンを半分に折りたたむ状態で掛け止めしていた。
【０００３】
そのため、スーツなどをハンガーに掛ける場合は、まず上着を脱いでハンガーに掛け、その後、ズボンを脱いでハンガーに掛けるが、ハンガーに上着が掛かっている状態でズボンを掛けようとすると、上着の前面を一々開いてズボンを掛けなくてはならなくて、その上、上着が邪魔で上手く掛けられずにズボンに皺がよった状態となったり、上着がハンガーから落ちたりしていた。
【０００４】
また、先に脱いだ上着を一旦別の場所に置き、ズボンをハンガーに掛けてから上着を掛けるようにした場合も、上着が汚れたり皺になったりすることがあり、また、ズボンを掛けた状態で上着を掛ける際にも、ズボンがずれ落ちてしまったりすることもあるので、いずれのやり方も使い勝手が良くないものであった。
【０００５】
いずれにせよ従来のハンガーに上着とズボンの両方を掛ける場合は、ズボンが上着の内側に隠れてしまう状態となり、上着とズボンの上下のコーディネイトを確認する場合に非常に見難いものであった。
【０００６】
また、ズボン掛け部がハンガーの下方に位置してしまうので、押入れなどのハンガーを掛ける位置と床面との上下スペースが無いところでは、ズボンが床面に着き、汚れたり、皺が生じたりすることもあった。
【発明の概要】
【発明が解決しようとする課題】
【０００７】
そこで本発明は、上着を掛けた状態でも、この上着に干渉することなく容易にズボンをハンガーに掛けることができ、ズボンが上着の内側に隠れることが無く、更に、ハンガーから衣服を外して着るときも、掛けるときと同様にどちらを先に外すにしてもお互いが干渉し難いので非常に衣服の掛け外しが容易な画期的な上着掛け付スラックスハンガーを提供することを目的としている。
【課題を解決するための手段】
【０００８】
添付図面を参照して本発明の要旨を説明する。
【０００９】
上着掛け中央部１の左右両側に突出する肩部２を設けた上着掛け部３と、前記上着掛け中央部１に水平方向に突出状態に設けたズボン掛け部４とで構成するハンガーであって、前記ズボン掛け部４は前記上着掛け中央部１に着脱自在に設けた構成としたことを特徴とする上着掛け付スラックスハンガーに係るものである。
【００１０】
また、前記上着掛け中央部１の上部並びに前記ズボン掛け部４に夫々凹凸状嵌合部５，６を形成し、前記ズボン掛け部４の凹凸状嵌合部６を前記上着掛け中央部の凹凸状嵌合部５に水平方向にスライドさせて嵌合係止し、前記上着掛け部３と前記ズボン掛け部４を連結する構成としたことを特徴とする請求項１記載の上着掛け付スラックスハンガーに係るものである。
【００１１】
また、前記凹凸状嵌合部５，６同士を嵌合係止して前記上着掛け部３と前記ズボン掛け部４とを連結した状態をロックする抜け止め係止部７を係脱自在に設けたことを特徴とする請求項１，２のいずれか１項に記載の上着掛け付スラックスハンガーに係るものである。
【００１２】
また、前記上着掛け部３若しくは前記ズボン掛け部４のいずれか一方に前記上着掛け部３と前記ズボン掛け部４が連結状態であるときに使用する懸吊用固定フック部８を設け、他方には連結を切り離し、単体でも使用することができる懸吊用可動フック部９を設け若しくは前記懸吊用可動フック部９を取付ける懸吊用可動フック取付部を設けたことを特徴とする請求項１〜３のいずれか１項に記載の上着掛け付スラックスハンガーに係るものである。
【００１３】
また、前記懸吊用可動フック部９は、前記上着掛け部３と前記ズボン掛け部４が連結時は退避状態となり、連結を切り離して単体で使用するときは退避状態から懸吊可能な状態となる退避可動可能な構成としたことを特徴とする請求項１〜４のいずれか１項に記載の上着掛け付スラックスハンガーに係るものである。
【発明の効果】
【００１４】
本発明は上述のように構成したから、上着掛け部に上着が掛かっている状態でも、上着が干渉することなくズボンなどをズボン掛け部に容易に掛けることができ、即ち、上着を先でも、ズボンを先でも、お互いが干渉することなくハンガーに掛けることが可能なのでどちらでも脱いだ順序に容易にハンガーに掛けることができ、しかも、ズボンが上着の内側に隠れる位置とならないので、ジャケットとスラックスといった上下をコーディネイトする場合においても、両方をハンガーに掛けた状態で重ねて見ることができるので非常にコーディネイトし易くなる。
【００１５】
また、ズボン掛け部を上着掛け中央部に設けたことにより、ズボン掛け部がハンガーの上部に位置するので、上下スペースが余り無い押入れなどに収納する場合でも、ズボンが床面に着くことが無く、汚れたり、皺になったりすることがなくなる。
【００１６】
更に、上着掛け部とズボン掛け部が分離するので商品輸送時の梱包や旅行、出張などで携帯するときにかさ張らずに収納することができる画期的な上着掛け付スラックスハンガーとなる。
【００１７】
また、請求項２記載の発明においては、凹凸状嵌合部を水平方向にスライドさせて嵌め合わせるだけで簡単に上着掛け部とズボン掛け部を連結でき、しかも、衣服をハンガーに掛けて吊るしたときに生じる垂直方向の力に対して分離し難い連結方法なので、ハンガー利用中に分離し、衣服が落ちることが無い連結強度に優れた上着掛け付スラックスハンガーとなる。
【００１８】
また、請求項３記載の発明においては、上着掛け部とズボン掛け部の連結状態をロックする抜け止め係止部を係脱自在に設けたので、螺子などの連結固定具を用いることなく容易に連結状態をロックでき、上着掛け部とズボン掛け部を切り離し不能状態にすることができる優れた上着掛け付スラックスハンガーとなる。
【００１９】
また、請求項４記載の発明においては、上着掛け部とズボン掛け部の連結を切り離した際にも懸吊用フック部を容易に設けることができ、単体でも使用可能となる、より実用性に優れた上着掛け付スラックスハンガーとなる。
【００２０】
また、請求項５記載の発明においては、上着掛け部とズボン掛け部を連結した際に使用していない懸吊用可動フック部を、衣服を掛けたり外したりする際に支障が無い位置に退避移動させることができ、上着掛け部とズボン掛け部の連結を切り離した際には、この退避状態にある懸吊用可動フック部を懸吊可能状態に移動させ、ハンガーとして単体でも使用することができる優れた上着掛け付スラックスハンガーとなる。
【図面の簡単な説明】
【００２１】
【図１】実施例１を示す説明斜視図である。
【図２】実施例１の凹凸嵌合部を示す説明斜視図である。
【図３】実施例１の連結状態を示す説明斜視図である。
【図４】実施例１の連結状態を示す説明断面図である。
【図５】実施例１のアーム引っ掛け係止部をアーム先端受部に係止する動作を示す説明断面図である。
【図６】実施例１のアーム引っ掛け係止部のアーム先端受部への係止状態を示す説明断面図である。
【図７】実施例１の使用状態を示す説明斜視図である。
【図８】実施例１の使用状態を示す説明斜視図である。
【図９】実施例２の上着掛け中央部を示す説明斜視図である。
【図１０】実施例２の懸吊用可動フック部の退避状態を示す説明断面図である。
【図１１】実施例３の上着掛け部を示す説明断面図である。
【図１２】実施例４の懸吊用可動フック部を示す説明斜視図である。
【図１３】実施例４の懸吊用可動フック部を示す説明断面図である。
【発明を実施するための形態】
【００２２】
好適と考える本発明の実施形態（発明をどのように実施するか）を、図面に基づいて本発明の作用を示して簡単に説明する。
【００２３】
上着掛け部３は、上着掛け中央部１の左右両側に突出する肩部２を設けたので、この肩部２に上着10を掛けることができ、更に、この上着掛け部３の上着掛け中央部１に水平方向に突出状態にズボン掛け部４を設けたので、このズボン掛け部４が上着掛け部３の鉛直線上に位置せず、お互いが干渉することなく上着10とズボン11を掛けることができる。
【００２４】
よって、例えば、スーツを脱いでハンガーに掛ける場合は、最初に上着10を脱いで、この上着10を上着掛け部３に掛け、次にズボン11を脱いで、ズボン掛け部４に掛ける際に、従来のハンガーのようにハンガーに掛けた状態の上着10の前面を一々開いて掛ける必要が無く、上着10に干渉することなくズボン11を容易にズボン掛け部４に掛けることができるので、脱いだ順にスーツをハンガーに掛けることができることとなる。
【００２５】
しかも、従来のようにズボンをハンガーに掛けたときに上着の内側に隠れないので、上着とズボンを重ね合わせて見ることができ、上下のコーディネイトの確認も容易にできることとなる。
【００２６】
また、ハンガーに掛かっているスーツを外して着るときも、着る順序に容易にハンガーから外して着ることができることとなる。
【００２７】
しかも、本発明は、上着掛け部３とズボン掛け部４を着脱自在に設けたので、例えば、本発明を商品として出荷する際は切り離した状態でコンパクトに梱包することができ、また、切り離して夫々が単体になることで重ねることができ、場所を取らず収納できるので容易に携帯することができることとなる。
【実施例１】
【００２８】
本発明の具体的な実施例１について図１〜図８に基づいて説明する。
【００２９】
本実施例は、上着掛け部３とズボン掛け部４とが着脱自在となる上着掛け付スラックスハンガーであって、上着掛け部３とズボン掛け部４を連結状態で使用し、例えば、スーツなどの上着10とズボン11の両方を掛ける場合においては、脱いだ順序に衣服を容易に掛けることができ、また、着るときも脱いだ順序と逆の順序にハンガーから外すことができ、ズボン掛け部４を必要としないときは、連結状態を切り離して、上着掛け部３単体で使用することができる非常に便利な上着掛け付スラックスハンガーである。
【００３０】
具体的には、上着掛け部３は、上着掛け中央部１の左右両側から下方に向って傾斜状態に突出する肩部２を設け、正面視略末広がり形状に形成している。
【００３１】
また、上着掛け中央部１の上端部の左右両側面に前後方向に貫通する凹条溝を形成することで上着掛け中央部１の上端部に正面視略Ｔ形状の凹凸状嵌合部５を設け、この凹凸状嵌合部５の上面に後述する抜け止め係止部７を構成する係止ピン12を挿入する挿入孔14を形成し、更に、懸吊用固定フック部８を立設している。
【００３２】
このように凹凸状嵌合部５を上着掛け中央部１の上端部に設けたので、ズボン掛け部４を上着掛け部３よりも高い位置に配置でき、ズボン掛け部４に掛けたズボン11が床に着く心配が無くなる。
【００３３】
また、上着掛け部３に懸吊用固定フック部８を設けたので、ズボン掛け部４が不要な場合には、上着掛け部３とズボン掛け部４の連結を切り離して上着掛け部３のみで上着掛け専用のハンガーとしても使用可能としている。
【００３４】
また、この上着掛け部３に着脱自在に設けるズボン掛け部４は、ズボン掛け基体部14にズボン掛けアーム部15を軸着し、水平方向に回動自在に設けた構成としている。
【００３５】
具体的には、ズボン掛け基体部14は、上面視略台形形状をしており、この台形の上底にあたるズボン掛け中央部16の厚み方向を有するズボン掛け中央側面17に、水平方向に凹部を形成した凹凸状嵌合部６を設け、更に、長さ方向の中間位置に、係止ピン12を挿入する挿入孔20を形成している。
【００３６】
また、更に、ズボン掛け基体部14の左右いずれか一方の端部にズボン掛けアーム部15を軸着する基体側軸着部19を設け、他方の端部に、ズボン掛けアーム部15の先端部を係止するアーム先端受部20を設けた構成としている。
【００３７】
このアーム先端受部20は、後述するズボン掛けアーム部15の先端部を嵌め込み可能とする凹状に形成し、この凹状の内面にズボン掛けアーム部15の先端部に設けた凸条突起部21を収納する凹条突起収納部22と、ズボン掛けアーム部15の先端部に当接し、凹条突起収納部22側にズボン掛けアーム部15の先端部を押し込むための板バネ23を設けた構成としている。
【００３８】
また、台形の下底にあたる位置に設けたズボン掛けアーム部15は、丸棒状の幹体24の基端にアーム軸着部25を、先端にアーム側引っ掛け係止部26を夫々挿着し、このアーム軸着部26を基体側軸着部19に軸着し、水平方向に回動自在に設け、また、アーム側引っ掛け係止部26は、アーム先端受部20に係脱自在に設けた構成としている。
【００３９】
尚、本実施例では、幹体24にアーム軸着部25及びアーム引っ掛け係止部26を夫々別部材として挿着した構成としているが、幹体24、アーム軸着部25、アーム引っ掛け係止部26を一体成形した構成としても良い。
【００４０】
このアーム側引っ掛け係止部26は、一部に切欠きを有する円筒形状に形成し、この切欠部に断面略かまぼこ形状の凸条突起部22を設けた構成としている。
【００４１】
このようにズボン掛け基体部14とズボン掛けアーム部15を構成したことで、ズボン11を掛けるときはズボン掛けアーム部15を開いた状態にすることで掛け易くなり、また、アーム側引っ掛け係止部26をアーム先端受部20に係止した際に、アーム側引っ掛け係止部26に設けた凸条突起部22がズボン掛け基体部14のアーム先端受部20に設けた凹条突起収納部23に嵌り込むと共に板バネ23で押圧状態にしたので、簡単に外れてズボン11を落としてしまうことが無くなる。
【００４２】
また、更に、ズボン掛け基体部14のアーム側側面27に、例えばスポンジやゴムなどの弾性体の滑り止め部28を設け、ズボン掛け基体部14とズボン掛けアーム部15で挟持したズボン11が滑り落ちないようにすると共に、この滑り止め部28を設けたことでズボン掛け基体部14とズボン掛けアーム部15に挟持されたズボン11がズボン掛けアーム部15と圧接状態となるので、ズボン掛けアーム部15にズボン11を半分に折りたたんだ状態で掛けずに、ズボン11の裾を挟んで吊下げ状態にすることができ、このように裾を挟んで状態で吊下げることで、ズボン11の腰部側の重みを利用してズボン11の膝部の膨らみや皺などを伸ばし、ズボン11を穿いたときにズボン11の形状が良く、皺が無い見た目が良いズボン11となる。
【００４３】
上述のように構成した上着掛け部３とズボン掛け部４の夫々の凹凸状嵌合部５，６を前方よりスライド嵌合係止したときに、ズボン掛け部４のズボン11を掛けるズボン掛けアーム部15が上着掛け部３よりも前方に位置することとなり、上着10とズボン11の掛ける位置がお互いに干渉しない位置となる。
【００４４】
更に、上着掛け部３とズボン掛け部４に形成した夫々の挿入孔13，18が連通状態となり、この連通状態となった挿入孔13，18に係止ピン12を係脱自在に設けて抜け止め係止部７を構成している。
【００４５】
この抜け止め係止部７は、係止ピン12を挿入すれば連結状態となった上着掛け部３とズボン掛け部４を切り離し不能な状態にし、係止ピン12を引き抜き、ズボン掛け部４を水平方向に引き抜けば容易に切り離すことが可能なので、組付け、切り離しに螺子や工具を必要とせず、持ち運ぶときは切り離し状態で持ち運び、使用するときに簡単に組付けることができる非常に便利な上着掛け付スラックスハンガーとなる。
【実施例２】
【００４６】
本発明の具体的な実施例２について図９〜図１０に基づいて説明する。
【００４７】
本実施例は、実施例１と同様の上着掛け部３とズボン掛け部４とを着脱自在に設けた上着掛け付スラックスハンガーであるが、凹凸状嵌合部５，６の連結手法及び懸吊用フックの構成が実施例１とは異なった構成となっており、その他に関しては実施例１と同様の構成としたものである。
【００４８】
具体的には、上着掛け部３とズボン掛け部４の連結は、上着掛け部３の凹凸状嵌合部５を上着掛け中央部１の上端部に鳩尾状の凸部に形成し、ズボン掛け部４の凹凸状嵌合部６をズボン掛け中央部16の底面に蟻溝状の凹部に形成し、上着掛け部３の鳩尾状の凸部とズボン掛け部４の凹部を水平方向にスライド嵌合するあり継ぎ連結する構成としている。
【００４９】
このように連結構造をあり継ぎ連結としたことで、より連結部を単純な構成とし、容易にスライド嵌合係止でき、更に、容易に製造可能なものとしている。
【００５０】
また、懸吊用フックの構成は、上着掛け部３は、上着掛け中央部１に懸吊用可動フック部９を設け、この懸吊用可動フック部９を退避収納させるための懸吊用可動フック収納部29を凹設した構成としている。
【００５１】
懸吊用可動フック部９は、上部側をＣ状に形成したフック部30、下部側を垂直方向に延びる棒状部31で構成しており、この棒状部31を懸吊用可動フック収納部29に設けたフック挿入孔32に貫通し、このフック挿入孔32に沿って上下方向に移動自在に設け、上着掛け部３とズボン掛け部４とが連結状態にあるときは、下方に移動退避し、上着掛け中央部１に設けた懸吊用可動フック収納部29に上部のフック部30が収納され、下部の棒状部31は上着掛け中央部１の下方に突出状態となり、切り離して単体で使用するときは、棒状部31の下端を押し上げ、フック部30を上着掛け中央部１の上方より突出させて懸吊可能とする構成としている。
【００５２】
従って、上着掛け部３とズボン掛け部４とが連結状態にあるときは、懸吊用可動フック部９が懸吊用可動フック収納部29に退避し使用に際して干渉することが無くなる。
【００５３】
また、ズボン掛け部４は、ズボン掛け部４の長さ方向の中心位置に懸吊用固定フック部８を立設した構成としている。
【００５４】
上述のように構成したことにより、実施例１では連結を切り離した際は、上着掛け部３のみが単体としてもハンガーとして使用できる構成としていたが、本実施例では、上着掛け部３とズボン掛け部４の両方に懸吊用フックを設けたので、必要に応じて、連結を切り離し、上着掛け部３のみ若しくはズボン掛け部４のみを単体で使用することができ、より実用性を向上させた上着掛け付スラックスハンガーとなる。
【実施例３】
【００５５】
本発明の具体的な実施例３について図１１に基づいて説明する。
【００５６】
本実施例は、実施例１と同様の上着掛け部３とズボン掛け部４とを着脱自在に設けた上着掛け付スラックスハンガーであり、ズボン掛け部４は実施例２と同様であるが、上着掛け部３の構成が実施例１，２とは異なった構成となっており、その他に関しては実施例１と同様の構成としたものである。
【００５７】
具体的には、上着掛け部３は、２体の略台形形状の上着掛け部３の下底同士を張り合わせた正面視略算盤珠形状に形成し、一方の上着掛け中央部１の上端部を実施例２と同様の鳩尾状の凸部を形成し凹凸状嵌合部５として、他方の上着掛け中央部１の上端部に、懸吊用固定フック部８を立設した構成としている。
【００５８】
従って、上着掛け部３とズボン掛け部４とを連結して使用する場合は、上着掛け部３の懸吊用固定フック部８を下方にした状態で使用し、切り離して単体で使用する場合は、上下を逆にすることで通常の上着掛け専用ハンガーとして使用できる。
【実施例４】
【００５９】
本発明の具体的な実施例４について図１２〜図１３に基づいて説明する。
【００６０】
本実施例は、実施例１と同様の上着掛け部３とズボン掛け部４とを着脱自在に設けた上着掛け付スラックスハンガーであり、ズボン掛け部４は実施例２と同様であるが、上着掛け部３の上着掛け中央部１に設けた懸吊用可動フック部９の形状及び構成が実施例２とは異なった構成となっており、その他に関しては実施例２と同様の構成としたものである。
【００６１】
具体的には、上着掛け部３の上着掛け中央部１に懸吊用可動フック部９を設け、この懸吊用可動フック部９を形成する金属棒の太さと略同等の幅を有する凹状に切欠いた懸吊用可動フック移動溝部33を形成し、この懸吊用可動フック移動溝部33に沿って、懸吊用可動フック部９の下端に設けた球状体34を支点として、垂直状態から前方側若しくは後方側に横倒状態に回動自在に作動する構成としている。
【００６２】
このように懸吊用可動フック部９を構成したので、上着掛け部３とズボン掛け部４とを連結して使用する場合は、懸吊用可動フック部９を前方側に横倒状態に退避移動させ、水平方向より稍下方に傾斜し突出状態となった懸吊用可動フック部９の山型形状に形成したフック部30にネクタイ35を掛けることができる構成としている。
【００６３】
また、上着掛け部３とズボン掛け部４の連結を切り離し、夫々を単体で使用する場合は、上着掛け部３は懸吊用可動フック部９を垂直状態に移動させ、懸吊用可動フック部９を懸吊可能状態にして通常の上着掛け専用ハンガーとして使用することができる。
【００６４】
尚、本発明は、実施例１〜４に限られるものではなく、各構成要件の具体的構成は適宜設計し得るものである。
【符号の説明】
【００６５】
１  上着掛け中央部
２  肩部
３  上着掛け部
４  ズボン掛け部
５  凹凸状嵌合部
６  凹凸状嵌合部
７  抜け止め係止部
８  懸吊用固定フック部
９  懸吊用可動フック部
【図１】
2011019544.tif 000003
【図２】
2011019544.tif 000004
【図３】
2011019544.tif 000005
【図４】
2011019544.tif 000006
【図５】
2011019544.tif 000007
【図６】
2011019544.tif 000008
【図７】
2011019544.tif 000009
【図８】
2011019544.tif 000010
【図９】
2011019544.tif 000011
【図１０】
2011019544.tif 000012
【図１１】
2011019544.tif 000013
【図１２】
2011019544.tif 000014
【図１３】
2011019544.tif 000015